(57)【要約】【課題】カメラ初心者にも分かりやすいISO設定方法を提供することを目的とする。【解決手段】タッチ検出手段と、標準モードと、やさしいモードとの少なくとも２つ以上の表示モードとを切り替え可能な切替手段と、ＩＳＯ感度を設定するための設定画面を表示する指示がされた場合に、前記表示モードがやさしいモードである場合には、ＩＳＯ感度を設定するための範囲全てを表示する第１のＩＳＯ感度設定画面を表示し、前記表示モードが標準モードである場合には、ＩＳＯ感度を設定するための範囲の一部を表示する第２のＩＳＯ感度設定画面を表示するように制御する制御手段とを有することを特徴とする。【選択図】  図１
2018113538.tif 000002
【特許請求の範囲】
【請求項１】
タッチ検出手段と、
標準モードと、やさしいモードとの少なくとも２つ以上の表示モードとを切り替え可能な切替手段と、
ＩＳＯ感度を設定するための設定画面を表示する指示がされた場合に、前記表示モードがやさしいモードである場合には、ＩＳＯ感度を設定するための範囲全てを表示する第１のＩＳＯ感度設定画面を表示し、前記表示モードが標準モードである場合には、ＩＳＯ感度を設定するための範囲の一部を表示する第２のＩＳＯ感度設定画面を表示するように制御する制御手段とを有することを特徴とする撮像装置。
【請求項２】
前記表示モードはメニュー画面において切替可能であることを特徴とする請求項１に記載の撮像装置。
【請求項３】
コンピュータを、請求項１または２に記載の撮像装置の各手段として機能させるためのプログラム。
【請求項４】
コンピュータを、請求項１または２に記載の撮像装置の各手段として機能させるためのプログラムを格納したコンピュータが読み取り可能なことを特徴とする記憶媒体。
【発明の詳細な説明】
【技術分野】
【０００１】
本発明は、撮像装置に関し、特にＩＳＯ感度を設定する画面に関するものである。
【背景技術】
【０００２】
従来、タッチパネルにてＩＳＯ感度を設定する画面（スケール表示）では、タッチ操作がしやすいように、全ての設定値を表示するのではなく、一部範囲の複数の設定値を表示する方法が開示されている。
【先行技術文献】
【特許文献】
【０００３】
【特許文献１】特開２０１４−５６４７０号公報
【発明の概要】
【発明が解決しようとする課題】
【０００４】
しかしながら、特許文献１の表示方法では、一部範囲の複数のＩＳＯ感度の値しか表示されない為、カメラ初心者が使用する場合に、現在設定されているＩＳＯ感度の値が、全体のＩＳＯ範囲のどの辺りかが把握しにくい。そこで、カメラ初心者にも分かりやすいISO感度の設定方法を提供することを目的とする。
【課題を解決するための手段】
【０００５】
タッチ検出手段と、標準モードと、やさしいモードとの少なくとも２つ以上の表示モードとを切り替え可能な切替手段と、ＩＳＯ感度を設定するための設定画面を表示する指示がされた場合に、前記表示モードがやさしいモードである場合には、ＩＳＯ感度を設定するための範囲全てを表示する第１のＩＳＯ感度設定画面を表示し、前記表示モードが標準モードである場合には、ＩＳＯ感度を設定するための範囲の一部を表示する第２のＩＳＯ感度設定画面を表示するように制御する制御手段とを有することを特徴とする。
【発明の効果】
【０００６】
カメラ初心者にも分かりやすいISO設定方法を提供することができる。
【図面の簡単な説明】
【０００７】
【図１】実施例１の「やさしい」モード時のISO設定画面
【図２】実施例１のカメラの外観図
【図３】実施例１のカメラのブロック図
【図４】実施例１のカメラのメインフローチャート図
【図５】実施例１のメニュー画面
【図６】実施例１の「標準」モード時のISO設定画面
【発明を実施するための形態】
【０００８】
以下に、本発明の好ましい実施の形態を、添付の図面に基づいて詳細に説明する。図１は、本発明の実施形態にかかわるISO設定画面である。
【０００９】
［実施例１］
以下、図面を参照して本発明の好適な実施形態を説明する。図２（ａ）、（ｂ）に本発明の撮像装置の一例としてのデジタルカメラの外観図を示す。図２（ａ）はデジタルカメラ１００の前面斜視図であり、図２（ｂ）はデジタルカメラ１００の背面斜視図である。図２において、表示部２８は画像や各種情報を表示する、カメラ背面に設けられた表示部である。ファインダー外表示部４３は、カメラ上面に設けられた表示部であり、シャッター速度や絞りをはじめとするカメラの様々な設定値が表示される。シャッターボタン６１は撮影指示を行うための操作部である。
【００１０】
モード切替スイッチ６０は各種モードを切り替えるための操作部である。端子カバー４０は該部機器との接続ケーブルとデジタルカメラ１００とを接続する接続ケーブル等のコネクタ（不図示）を保護するカバーである。メイン電子ダイヤル７１は操作部７０に含まれる回転操作部材であり、このメイン電子ダイヤル７１を回すことで、シャッター速度や絞りなどの設定値の変更等が行える。電源スイッチ７２はデジタルカメラ１００の電源のＯＮ及びＯＦＦを切り替える操作部材である。サブ電子ダイヤル７３は操作部７０に含まれ、操作部７０に含まれる回転操作部材であり、選択枠の移動や画像送りなどを行える。
【００１１】
十字キー７４は操作部７０に含まれ、上、下、左、右部分をそれぞれ押し込み可能な十字キー（４方向キー）である。十字キー７４の押した部分に応じた操作が可能である。ＳＥＴボタン７５は操作部７０に含まれ、押しボタンであり、主に選択項目の決定などに用いられる。ＬＶボタン７６は操作部７０に含まれ、メニューボタンにおいてライブビュー（以下、ＬＶ）のＯＮとＯＦＦを切り替えるボタンである。動画撮影モードにおいては、動画撮影（記録）の開始、停止の指示に用いられる。拡大ボタン７７は操作部７０に含まれ、撮影モードのライブビュー表示において拡大モードのＯＮ、ＯＦＦ，及び拡大モード中の拡大率の変更を行うための操作ボタンである。
【００１２】
再生モードにおいては再生画像を拡大し、拡大率を増加させるための拡大ボタンとして機能する。縮小ボタン７８は操作部７０に含まれ、拡大された再生画像の拡大率を低減させ、表示された画像を縮小させるためのボタンである。再生ボタン７９は操作部７０に含まれ、撮影モードと再生モードとを切り替える操作ボタンである。撮影モード中に再生ボタン７９を押下することで再生モードに移行し、記録媒体２００に記録された画像のうち最新の画像を表示部２８に表示させることができる。
【００１３】
クイックリターンミラー１２は、システム制御部50から指示されて、不図示のアクチュエータによりアップダウンされる。通信端子１０はデジタルカメラ１００がレンズ側（着脱可能）と通信を行う為の通信端子である。接眼ファインダー１６はフォーカシングスクリーン１３を観察することで、レンズユニット１５０を通して得た被写体の光学像の焦点や構図の確認を行うための覗き込み型のファインダーである。蓋２０２は記録媒体２００を格納ひたスロットの蓋である。グリップ部９０は、ユーザーがデジタルカメラ１００を構えた際に右手で握りやすい形状とした保持部である。
【００１４】
図３は、本実施形態によるデジタルカメラ１００の構成例を示すブロック図である。図３において、レンズユニット１５０は、交換可能な撮影レンズを搭載するレンズユニットである。
【００１５】
レンズ１０３は通常、複数枚のレンズから構成されるが、ここでは簡略して一枚のレンズのみで示している。通信端子６はレンズユニット１５０がデジタルカメラ１００側と通信を行う為の通信端子であり、通信端子１０はデジタルカメラ１００がレンズユニット１５０側と通信を行う為の通信端子である。レンズユニット１５０は、この通信端子６，１０を介してシステム制御部５０と通信し、内部のレンズシステム制御回路４によって絞り駆動回路２を介して絞り１の制御を行い、ＡＦ駆動回路３を介して、レンズ１０３の位置を変位させることで焦点を合わせる。
【００１６】
ＡＥセンサー１７は、レンズユニット１５０を通した被写体の輝度を測光する。焦点検出部１１は、システム制御部５０にデフォーカス量情報を出力する。システム制御部５０はそれに基づいてレンズユニット１５０を制御し、位相差ＡＦを行う。
【００１７】
クイックリターンミラー１２（以下、ミラー１２）は、露光、ライブビュー撮影、動画撮影の際にシステム制御部５０から指示されて、不図示のアクチュエータによりアップダウンされる。ミラー１２は、レンズ１０３から入射した光束をファインダ１６側と撮像部２２側とに切替えるためのミラーである。ミラー１２は通常時はファインダ１６へと光束を導くよう反射させるように配されているが、撮影が行われる場合やライブビュー表示の場合には、撮像部２２へと光束を導くように上方に跳ね上がり光束中から待避する（ミラーアップ）。
【００１８】
またミラー１２はその中央部が光の一部を透過できるようにハーフミラーとなっており、光束の一部を、焦点検出を行うための焦点検出部１１に入射するように透過させる。撮影者は、ペンタプリズム１４とファインダー１６を介して、フォーカシングスクリーン１３を観察することで、レンズユニット１５０を通して得た被写体の光学像の焦点や構図の確認が可能となる。接眼検知部１６ａは、撮影者がファインダーに接眼したことを検知し、システム制御部５０へ通知する。
【００１９】
シャッター１０１は、システム制御部５０の制御で撮像部２２の露光時間を自由に制御できるフォーカルプレーンシャッターである。
【００２０】
撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００２１】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００２２】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００２３】
また、メモリ３２は画像表示用のメモリ（ビデオメモリ）を兼ねている。Ｄ／Ａ変換器１９は、メモリ３２に格納されている画像表示用のデータをアナログ信号に変換して表示部２８に供給する。こうして、メモリ３２に書き込まれた表示用の画像データはＤ／Ａ変換器１９を介して表示部２８により表示される。表示部２８は、ＬＣＤ等の表示器上に、Ｄ／Ａ変換器１９からのアナログ信号に応じた表示を行う。Ａ／Ｄ変換器２３によって一度Ａ／Ｄ変換されメモリ３２に蓄積されたデジタル信号をＤ／Ａ変換器１９においてアナログ変換し、表示部２８に逐次転送して表示することで、電子ビューファインダとして機能し、スルー画像表示（ライブビュー表示）を行える。
【００２４】
ファインダー内液晶表示部４１には、ファインダー内表示部駆動回路４２を介して、現在オートフォーカスが行われている測距点を示す枠（ＡＦ枠）や、カメラの設定状態を表すアイコンなどが表示される。ファインダー外液晶表示部４３には、ファインダー外表示部駆動回路４４を介して、シャッター速度や絞りをはじめとするカメラの様々な設定値が表示される。
【００２５】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００２６】
システム制御部５０は、デジタルカメラ１００全体を制御する。前述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。また、システム制御部はメモリ３２、Ｄ／Ａ変換器１９、表示部２８等を制御することにより表示制御も行う。
【００２７】
システムタイマー５３は各種制御に用いる時間や、内蔵された時計の時間を計測する計時部である。モード切替スイッチ６０、第１シャッタースイッチ６２、第２シャッタースイッチ６４、操作部７０はシステム制御部５０に各種の動作指示を入力するための操作手段である。モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）がある。
【００２８】
また、撮影シーン別の撮影設定となる各種シーンモード、プログラムＡＥモード、カスタムモード等がある。モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）がある。また、撮影シーン別の撮影設定となる各種シーンモード、プログラムＡＥモード、カスタムモード等がある。モード切替スイッチ６０で、これらのモードのいずれかに直接切り替えられる。
【００２９】
あるいは、モード切替スイッチ６０で撮影モードの一覧画面に一旦切り換えた後に、表示された複数のモードのいずれかを選択し、他の操作部材を用いて切り替えるようにしてもよい。同様に、動画撮影モードにも複数のモードが含まれていてもよい。
【００３０】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００３１】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００３２】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。
【００３３】
操作部７０は、ユーザーからの操作を受け付ける入力部としての各種操作部材である。操作部７０には、少なくとも以下の操作部が含まれる。シャッターボタン６１、メイン電子ダイヤル７１、電源スイッチ７２、サブ電子ダイヤル７３、十字キー７４、ＳＥＴボタン７５、ＬＶボタン７６、拡大ボタン７７、縮小ボタン７８、再生ボタン７９。
【００３４】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００３５】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ/Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００３６】
通信部５４は、無線または有線ケーブルによって接続し、映像信号や音声信号の送受信を行う。通信部５４は無線ＬＡＮ（Local Area Network）やインターネットとも接続可能である。通信部５４は撮像部２２で撮像した画像（スルー画像を含む）や、記録媒体２００に記録された画像を送信可能であり、また、外部機器から画像データやその他の各種情報を受信することができる。
【００３７】
姿勢検知部５５は重力方向に対するデジタルカメラ１００の姿勢を検知する。姿勢検知部５５で検知された姿勢に基づいて、撮像部２２で撮影された画像が、デジタルカメラ１００を横に構えて撮影された画像であるか、縦に構えて撮影された画像なのかを判別可能である。システム制御部５０は、姿勢検知部５５で検知された姿勢に応じた向き情報を撮像部２２で撮像された画像の画像ファイルに付加したり、画像を回転して記録することが可能である。姿勢検知部５５としては、加速度センサーやジャイロセンサーなどを用いることができる。
【００３８】
なお操作部７０の一つとして、表示部２８に対する接触を検知可能なタッチパネル７０ａを有する。タッチ検出部７０ｂは、タッチパネル７０ａにタッチされたことを検出し、システム制御部５０に通知する。またタッチパネル７０ａと表示部２８とは一体的に構成することができる。例えば、タッチパネル７０ａを光の透過率が表示部２８の表示を妨げないように構成し、表示部２８の表示面の上層に取り付ける。そして、タッチパネル７０ａにおける入力座標と、表示部２８上の表示座標とを対応付ける。これにより、恰もユーザが表示部２８上に表示された画面を直接的に操作可能であるかのようなＧＵＩ（グラフィカルユーザーインターフェース）を構成することができる。
【００３９】
システム制御部５０はタッチパネル７０ａへの以下の操作。あるいは状態を検出できる。
・タッチパネル７０ａにタッチしていなかった指やペンが新たにタッチパネル７０ａにタッチしたこと。すなわち、タッチの開始（以下、タッチダウン（Touch-Down）と称する）。
・タッチパネル７０ａを指やペンでタッチしている状態であること（以下、タッチオン（Touch-On）と称する）。
・タッチパネル７０ａを指やペンでタッチしたまま移動していること（以下、タッチムーブ（Touch-Move）と称する）。
・タッチパネル７０ａへタッチしていた指やペンを離したこと。すなわち、タッチの終了（以下、タッチアップ（Touch-Up）と称する）。
・タッチパネル７０ａに何もタッチしていない状態（以下、タッチオフ（Touch-Off）と称する）。
【００４０】
タッチダウンが検出されると、同時にタッチオンであることも検出される。タッチダウンの後、タッチアップが検出されない限りは、通常はタッチオンが検出され続ける。タッチムーブが検出されるのもタッチオンが検出されている状態である。タッチオンが検出されていても、タッチ位置が移動していなければタッチムーブは検出されない。タッチしていた全ての指やペンがタッチアップしたことが検出された後は、タッチオフとなる。
【００４１】
これらの操作・状態や、タッチパネル７０ａ上に指やペンがタッチしている位置座標は内部バスを通じてシステム制御部５０に通知され、システム制御部５０は通知された情報に基づいてタッチパネル７０ａ上にどのような操作（タッチ操作）が行なわれたかを判定する。タッチムーブについてはタッチパネル７０ａ上で移動する指やペンの移動方向についても、位置座標の変化に基づいて、タッチパネル７０ａ上の垂直成分・水平成分毎に判定できる。所定距離以上をタッチムーブしたことが検出された場合はスライド操作（ドラッグ）が行なわれたと判定するものとする。
【００４２】
タッチパネル上に指をタッチしたままある程度の距離だけ素早く動かして、そのまま離すといった操作をフリックと呼ぶ。フリックは、言い換えればタッチパネル７０ａ上を指ではじくように素早くなぞる操作である。所定距離以上を、所定速度以上でタッチムーブしたことが検出され、そのままタッチアップが検出されるとフリックが行なわれたと判定できる（ドラッグに続いてフリックがあったものと判定できる）。更に、複数箇所（例えば２点）を同時にタッチして、互いのタッチ位置を近づけるタッチ操作をピンチイン、互いのタッチ位置を遠ざけるタッチ操作をピンチアウトと称する。
【００４３】
ピンチアウトとピンチインを総称してピンチ操作（あるいは単にピンチ）と称する。タッチパネル７０ａは、抵抗膜方式や静電容量方式、表面弾性波方式、赤外線方式、電磁誘導方式、画像認識方式、光センサ方式等、様々な方式のタッチパネルのうちいずれの方式のものを用いても良い。方式によって、タッチパネルに対する接触があったことでタッチがあったと検出する方式や、タッチパネルに対する指やペンの接近があったことでタッチがあったと検出する方式ものがあるが、いずれの方式でもよい。
【００４４】
図４は、システム制御部５０のフローチャート図であり、フローチャート図によりカメラの動作を説明する。図４のステップＳ４０１において、システム制御部５０は、レジスタの初期化、データの初期化、周辺部の初期化等の初期設定を行う。ステップＳ４０２において、システム制御部５０は、操作部７０から各種スイッチ検出をする。ステップＳ４０３において、システム制御部５０は、タッチ検出部７０ｂからタッチ検出をする。
【００４５】
ステップＳ４０４において、メニューボタンが押されていれば、ステップＳ４０５において、カメラの各種設定を行い、ステップＳ４０２の処理に進む。一方、メニューボタンが押されていない場合は、ステップＳ４０６の処理に進む。
【００４６】
ここで、図６により、メニュー画面での画像表示設定とＩＳＯ感度設定について説明を行う。図６（ａ）は、表示部２８に表示されるカメラ設定メニュー画面であり、ＭＥＮＵ１からＭＥＮＵ４までタブがある。「画面表示」は、ＭＥＮU４のタブにあり、「画面表示」が選択されている状態（図６（ａ））で、ＳＥＴボタン押し又は、「画面表示」へのユーザータッチ操作が行われると、「画面表示」の項目が選択されたとして、図６（ｂ）の設定画面に表示が切り替わる。
【００４７】
図６（ｂ）の「≫」で示されているのが、現在選択されている設定であり、十字キー又は、ユーザータッチ操作により「やさしい」や「標準」を選択が可能である。図６（ｃ）で、「ＩＳＯ感度」が選択されている状態で、ＳＥＴボタン押し又は、「ＩＳＯ感度」へのユーザータッチ操作が行われると、「画面表示」で設定されている状態に応じて、ＩＳＯ設定画面が表示される。例えば、「画面表示」で「やさしい」が設定されている場合は、図１のＩＳＯ設定画面が表示される。
【００４８】
ここで、図１のＩＳＯ設定画面について説明する。図１のＩＳＯ設定画面は、スケール表示となっていて、左端がＡＵＴＯで、次がＩＳＯ１００から始まり、右端がＩＳＯ２５６００となっており、ＩＳＯ設定範囲全てを表示している。スケールの移動は、十字キーの左右又は、タッチ操作で移動することができる。右下の戻る釦は、メニューの図６（ｃ）画面に戻る為の釦である。例えば、「画面表示」で「標準」が設定されている場合は、図６（ｄ）のＩＳＯ設定画面が表示される。
【００４９】
ここで、図１のＩＳＯ設定画面について説明する。図６（ｄ）のＩＳＯ設定画面は、スケール表示となっていて、現在設定しているＩＳＯ値を中心に±２段の範囲で設定可能なＩＳＯ範囲を表示している。スケールの移動は、十字キーの左右又は、タッチ操作で移動することができる。左下のＩＮＦＯ（ＡＵＴＯ）の釦は、直接タッチ操作することで、ＩＳＯ値をＡＵＴＯに設定することができる。また、不図示の操作部７０に含まれるメカスイッチのＩＮＦＯ釦を押下することでもＡＵＴＯに設定することが可能であることを示している。右下の戻る釦は、メニューの図６（ｃ）画面に戻る為の釦である。
【００５０】
図４に戻って、ステップＳ４０６において、ＳＷ１とＳＷ２がオフならば、Ｓ４０７へ進み、そうでなければ、Ｓ４０８へ進む。ステップＳ４０８において、測光タイマーを６秒に設定する。ステップＳ４０９において、装着されたレンズユニット１５０の各種情報を読み取る。レンズ情報には、レンズ固有情報、焦点距離、絞り値、フォーカスレンズ位置などの情報が含まれている。
【００５１】
ステップＳ４１０において、被写体に焦点を合わせるために、周知の位相差検出方式による測距演算を行う。ステップＳ４１１において、前述した測距演算によるデータをもとに、レンズ駆動量を算出してレンズを駆動する。また、ステップＳ４０７に戻って、測光タイマー中でない場合（６秒が経過した場合）は、ステップＳ４１7へ進み。そうでなければ、Ｓ４１２へ進む。ステップＳ４１２において、ＡＥセンサー１７からの出力、設定されたＩＳＯ感度、撮影モード等のカメラ設定情報から、シャッタスピード、絞り値等を決定するための測光演算処理を行う。
【００５２】
ステップＳ４１３において、タッチパッドとしてのタッチイベント情報により、カメラの測距点エリアやカメラ設定を変更する。ステップＳ４１４において、測光演算等により求められたシャッタスピード、絞り値や測距点エリアなどのカメラ設定の情報をファインダー内液晶表示に表示する。ステップＳ４１５において、ＳＷ２がオンならば、ステップＳ４１６において、周知の撮像素子のゲイン設定、蓄積動作および読み出し動作を行うとともに、画像処理、画像書き込み等の静止画の撮影動作を行う。この後、ステップＳ４０２の処理に戻る。ＳＷ２がオンでなければ、ステップＳ４１７へ進む。
【００５３】
ステップＳ４１７において、電源スイッチ７２がオンならば、ステップＳ４０２の処理に戻る。そうでなければ、ステップＳ４１８へ進む。ステップＳ４１８において、カメラの動作を終了させるために、周辺回路への電源オフの指示やデータの退避等の終了設定を行い、本処理を終了する。
【００５４】
以上説明したように、画面表示を「やさしい」に設定した場合に、ＩＳＯ設定のスケール表示画面では、全ての設定値が表示されるスケール表示となる為、ＩＳＯ設定できる範囲や現在設定されているＩＳＯ値が全ＩＳＯ範囲のどの位置にいるかが、わかりやすい。よって、カメラ初心者にも分かりやすいＩＳＯ設定方法を提供することができる。
【００５５】
なお、システム制御部５０が行うものとして説明した上述の各種の制御は１つのハードウェアが行ってもよいし、複数のハードウェアが処理を分担することで、装置全体の制御を行ってもよい。
【００５６】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００５７】
また、上述した実施形態においては、本発明を撮像制御装置に適用した場合を例にして説明したが、これはこの例に限定されず、タッチ操作によって撮像指示を行うことができるような撮像制御装置であれば適用可能である。すなわち、本発明は携帯電話端末や携帯型の画像ビューワ、ファインダーを備えるプリンタ装置、デジタルフォトフレーム、音楽プレーヤー、ゲーム機、電子ブックリーダーなどに適用可能である。
【００５８】
（他の実施形態）
本発明は、以下の処理を実行することによっても実現される。即ち、上述した実施形態の機能を実現するソフトウェア（プログラム）をネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記録媒体は本発明を構成することになる。
【符号の説明】
【００５９】
１００  デジタルカメラ
２８  表示部
４３  ファインダー外表示部
６１  シャッターボタン
【図１】
2018113538.tif 000003
【図２】
2018113538.tif 000004
【図３】
2018113538.tif 000005
【図４】
2018113538.tif 000006
【図５】
2018113538.tif 000007
【図６】
2018113538.tif 000008